(57)【要約】      （修正有）【課題】パソコンバッグ、ビジネス鞄等の手提げ鞄を確実に使用者の背中に保持する。【解決手段】かぶせ蓋部２と、背面部と、鞄載置部４と、前面部５とが順次連結されてなる鞄収容具本体１に、鞄１８を載置し、かぶせ蓋部２の一端を、鞄１８の把手部２０に挿通後、前面部５と係合させ、収容する。背面部に備えられたショルダーベルトと前面部５の下方両側縁に連結されたウエストベルト８により使用者の背中に保持する。【選択図】図２
2011010978.tif 000002
【特許請求の範囲】
【請求項１】
かぶせ蓋部と、背面部と、鞄載置部と、前面部とが順次連結してなる鞄収容具において、前記かぶせ蓋部と、前記前面部とを着脱可能に係合することで鞄を収容し、前記背面部の外面に備えられた一対のショルダーベルトを介して、前記鞄収容具を使用者の背中に背負うことを特徴とする鞄収容背負い具。
【請求項２】
請求項１に記載の前記鞄収容背負い具に収納する前記鞄は、上面中央部に把手部を有しており、前記上面中央部と、前記把手部との間に形成された開口部に、前記かぶせ蓋部を挿通し、前記かぶせ蓋部と、前記前面部とを着脱可能に係合することで、前記鞄が、前記鞄収容具から外れないことを特徴とする請求項１に記載の鞄収容背負い具。
【請求項３】
請求項１又は２に記載の前記鞄収容背負い具において、前記前面部の両側縁に一対のウエストベルトが連結されており、前記背面部の両側縁に連結された側面ベルトのベルト係止位置調節用環具に前記ウエストベルトを挿通し、使用者の腹部で着脱可能に係合することで、前記鞄の両側面を被覆し、使用者の背中に前記鞄を保持した状態で密着され得るように構成されていることを特徴とする鞄収容背負い具。
【発明の詳細な説明】
【技術分野】
【０００１】
本発明は、パソコンバッグ、ビジネス鞄等の手提げ鞄（以下、「鞄」と称する）を背中に背負うことを可能とした収容具である。
【背景技術】
【０００２】
従来、自転車やオートバイ等の二輪車に搭乗した状況にあるもとで、鞄の搭載場所は前もって備えられた荷台等に限られている。また、特許文献１ではバンドで構成された、手提げ鞄等を収容する背負い具が提案されている。
【先行技術文献】
【特許文献】
【０００３】
【特許文献１】実開平０６−０８２９２６号公報
【発明の概要】
【発明が解決しようとする課題】
【０００４】
しかし、その他複数の搭載物を所持し、同時に自転車やオートバイ等の二輪車に搭乗した状況では非常に不便であった。特許文献１においては、収容具全体がバンドで構成されている。従って、収容される鞄と接する面積が小さく、さらに鞄が直接使用者の背中と接することで保持されるため、カーブ走行等による遠心力が働いた場合に、鞄が保持バンドに吊り下がった状態で鞄の移動が生じる。他に保持バンドの長さが一定であるため、鞄の形状あるいは使用者の体形により一対の背負いバンドの間隔を調節した場合に間隔が長いと、保持バンドが把手部に届かない。反対に間隔が短いと、保持バンドが緩む、または背負うには窮屈であるという不具合が生じる状況が考えられる。
【課題を解決するための手段】
【０００５】
そこで、かぶせ蓋部と、背面部と、鞄載置部と、前面部とが順次連結されてなる鞄収容具本体の、一端が略ベルト状に形成されたかぶせ蓋部を鞄載置部に載置された鞄の上面中央部と把手部との間に形成された開口部に挿通し、他端である前面部と、長さ調節を有する係合具で係合することで鞄の上下面、及び表裏面を被覆する。また、前面部の下方両側縁に、一端が左右それぞれ連結された、中間部に長さ調節機能を有する一対のウエストベルトの各他端を、背面部の下方両側縁に連結された一対の側面ベルトのベルト係止位置調節用環具に左右それぞれ挿通し、鞄の幅に応じて係止することで、鞄の両側面を被覆する。さらに、前記一旦係止されたウエストベルトの他端は再び使用者の腹部で係合する。背面部には、使用者の背中に背負うための、長さ調節機能を有する一対のショルダーベルトが備えられている。
【発明の効果】
【０００６】
よって、本発明の鞄収容背負い具により、自転車やオートバイ等の二輪車に搭乗した状況にあるもとで、使用者の体形に関係なく、収容した鞄を確実に背中に背負うことが可能となった。また鞄の側面は、ウエストベルトを介して鞄の幅及び厚みを気にすることなく、収容される。このことは自転車やオートバイ等の二輪車に搭乗した状況にあるもとで、カーブ走行等による遠心力が働いても、収容された鞄は前後、左右ともに移動が生じない。他に、鞄の把手部が収容部から露出された状態で、確実に収容されているため、使用者の背中に背負う以外に、鞄と鞄収容背負い具は一体化されているため、把手部を介して同時に携行可能となる。
【図面の簡単な説明】
【０００７】
【図１】第１の実施形態を示す、鞄収容背負い具の展開図
【図２】同じく、前面から見た斜視図
【図３】同じく、背面から見た斜視図
【図４】同じく、側面から見たウエストベルトの拡大部分側面図
【図５】同じく、薄型鞄を掲載した状態の側面図
【図６】第２の実施形態を示す、側面から見たウエストベルトの拡大部分側面図
【図７】第１の実施形態の背中に背負った状態を示す側面図
【発明を実施するための形態】
【０００８】
以下、本発明を、図面を参照して説明する。図１〜図５は第１の実施形態を示し、図６は第２の実施形態を示し、図７は第１の実施形態の使用状態を示している。なお、ここで「背面」とは使用者の背中と接する面をいい、「前面」とは「背面」と対向する面をいう。また「上面」とは鞄の上蓋表面をいう。
【０００９】
第１の実施形態は、図１に示すように、かぶせ蓋部２と、背面部３と、鞄載置部４と、前面部５とが順次連結されてなる鞄収容具本体１と、それに一体化されたベルトで構成されている。図２に示すように、該鞄収容具本体１のかぶせ蓋部２は鞄載置部４に載置された鞄１８の上面中央部１９と把手部２０との間に形成された開口部２１に挿通し、前面部５と着脱可能に係合するため、略ベルト状に形成されている。該略ベルト状に形成されたかぶせ蓋部２の幅は、前記開口部２１に挿通でき得る程度とし、幅方向に一個から二個(本発明では二個)の連結孔１０が長さ方向に連なって設けられ、他端である前面部５の上方中央には該連結孔１０に対応し、係止するための連結棒１１を一個から二個(本発明では二個)備えられた係合具１４aが設けられている。
【００１０】
鞄１８は、上記開口部２１を介して鞄収容具本体１の一端(かぶせ蓋部２側)と他端(前面部５側)を係合することで被覆される。よって、収容された鞄１８は左右に外れることはない。
【００１１】
次に図３に示すように、背面部３の上方中央、及び下方両側縁のそれぞれにショルダーベルト取付け部７が備えられ、長さ調節機能を有する、一対のショルダーベルト６の各端部が、各ショルダーベルト取付け部7に連結されている。本発明により使用者本人の背中に背負う（図７参照）ことを可能とした。
【００１２】
図４に示すように、前面部５の下方両側縁に一対のウエストベルト８の一端が左右それぞれ連結されている。背面部３の下方両側縁には一対の側面ベルト９の一端が左右それぞれ連結され、該側面ベルト９の他端には係止位置調節用環具１２が左右それぞれ備えられており、ウエストベルト８の他端を左右それぞれ、該係止位置調節用環具１２に挿通し、鞄１８の厚みに対応すべく、左右それぞれ一旦係止され、再び使用者の腹部でウエストベルト係合具１４ｂにより着脱可能に係合される。該ウエストベルトの左右それぞれの中間部には、ジョイント機能を有する、長さ調節用環具１３が備えられている。
【００１３】
図５に示すように、パソコンバッグ等の薄型鞄２２を収容するために、鞄載置部４は幅方向に背面側載置部１５と、中央載置部１６と、前面側載置部１７と、に分けられている。少なくとも薄型鞄２２に対応すべく中央載置部１６には芯材が介入されている。このことは、薄型鞄２２を鞄載置部４に載置された状態で、上記前面部５の下方両側縁に連結されたウエストベルト８により、背面部３の下方両側縁に連結された側面ベルト９の係止位置調節用環具１２を介して薄型鞄２２が背面部３と前面部５とに挟まれた際、鞄載置部４の短辺は湾曲に変型することなく、背面側載置部１５と前面側載置部１７は略垂直方向に下がり、中央載置部１６のみ水平に保たれる。
【００１４】
次に、第２の実施形態は、基本構成において第１の実施形態と同様である。しかし、第１の実施形態では前面部５の下方両側縁に一対のウエストベルト８の一端が左右それぞれ連結されているが、第２の実施形態では、図６に示すように、背面部３の下方両側縁に一対のウエストベルト２３の一端が左右それぞれ連結されている。従って、収容された鞄１８の両側面を被覆するためには、背面部３の下方両側縁に連結された、一対の前記側面ベルト９の係止位置調節用環具１２と、前面部５の下方両側縁に連結された、一対の側面被覆ベルト２４とで、左右それぞれを連結する必要がある。
【００１５】
本発明の鞄収容具本体1の背面部３または前面部５に小物収納スペースを設けてもよく、前面部５には反射シートを装着してもよい。
【００１６】
以上、実施形態を図面により説明してきたが、具体的な基本構成はこれら実施形態に限られるものではなく、本発明の要旨を逸脱しない範囲における変更や追加があっても本発明に含まれる。
【００１７】
例えば、鞄収容具本体１のかぶせ蓋部２と前面部５との係合具１４aは、フロントリリース、サイドリリースタイプのバックル、または面ファスナーでもよい。ただしその場合、かぶせ蓋部２には長さ調節機能を備える必要がある。
【００１８】
また、一対のウエストベルト８とウエストベルト２３、ともに係合具１４b にはサイドリリースタイプのバックルが使用されているが、フロントリリースタイプのバックル、または面ファスナーでもよい。
【００１９】
、
さらに、鞄収容具本体１の背面部３、前面部５とショルダーベルト６には外観形状を維持するために芯材を介入してもよい。
【符号の説明】
【００２０】
１  鞄収容具本体
２  かぶせ蓋部
３  背面部
４  鞄載置部
５  前面部
６  ショルダーベルト
７  ショルダーベルト取付け部
８  ウエストベルト
９  側面ベルト
１０  連結孔
１１  連結棒
１２  係止位置調節用環具
１３  長さ調節用環具
１４a 係合具
１４b 係合具
１５  背面側載置部
１６  中央載置部
１７  前面側載置部
１８  鞄
１９  上面中央部
２０  把手部
２１  開口部
２２  薄型鞄
２３  ウエストベルト
２４  側面被覆ベルト
【図１】
2011010978.tif 000003
【図２】
2011010978.tif 000004
【図３】
2011010978.tif 000005
【図４】
2011010978.tif 000006
【図５】
2011010978.tif 000007
【図６】
2011010978.tif 000008
【図７】
2011010978.tif 000009